(57)【要約】【課題】景品払出装置におけるユニット着脱用扉の施錠の状態を検出することが可能な施錠装置を提供することを課題とする。【解決手段】景品払出装置１のユニット着脱用扉２３は、２つの係合部材４ｂ、４ｂでユニット着脱用扉２３を施錠する施錠機構４を有する。そして、２つの係合部材４ｂ、４ｂが係合する景品払出装置１の上部筺体２Ａのパネル２１ａ、２１ｂには２つの施錠センサＳ４、Ｓ４が設置されていて、ユニット着脱用扉２３の端部から突出する係合部材４ｂ、４ｂが、パネル２１ａ、２１ｂに係合したことを検出することが可能な施錠装置４を有する景品払出装置１。【選択図】図３
2008000351.tif 000002
【特許請求の範囲】
【請求項１】
景品を納めたマガジンが装填され、遊技者と店員とを挟んで設置される景品払出装置であって、
前記マガジンの出し入れが行われる筐体には、前記マガジンを出し入れ可能な状態に開閉する扉部材と、
前記扉部材と前記筺体とを施錠する施錠装置を有し、
前記施錠装置は、前記扉部材と前記筺体との施錠の状態を検出することが可能な検出手段を備えることを特徴とする景品払出装置。
【請求項２】
前記施錠装置は、
前記扉部材に、前記扉部材の端部から前記扉部材の外側に向かって突出可能に取り付けられる係合部材と、
前記筺体にあって、前記扉部材の端部から突出した前記係合部材が係合する受け具と、からなり、
前記受け具は、前記係合部材が係合したことを検出する前記検出手段を具備し、
前記検出手段は、前記扉部材の端部から突出した前記係合部材が前記受け具と係合したことを通知する通知手段を有することを特徴とする請求項１に記載の景品払出装置。
【発明の詳細な説明】
【技術分野】
【０００１】
本発明は、パチンコ店などの遊技場に設置される景品払出装置に関する。
【背景技術】
【０００２】
パチンコ店などの遊技場において、特殊景品の払出用として設置される景品払出装置としては、大別して、据え置きタイプと卓上タイプの２種類がある。据え置きタイプの景品払出装置は、景品取出口が遊技場に設置されたカウンタの上面と略同一高さとなるように設置されており、景品はカウンタ上面よりも下方のスペースに収容されるように構成されている。より具体的には、景品払出装置の下部に、景品を収容するためのマガジン収容空間が前後方向にスライド可能に形成されており、このマガジン収容空間を手前に引き出して、上部或いは側部から景品が納められたマガジンを収容するように構成されているものがある（例えば、特許文献１参照）。また、据え置きタイプの場合には、上端面に設けられた蓋を取り外して、上部からマガジンを挿入する形態、または、マガジン収容空間に直接に景品を収容する形態が採用されている。なお、一般的には、マガジンの着脱による景品の補充作業などは、防犯上の理由からカウンタ側、すなわち遊技店の店員側にて行われるようになっている。
【０００３】
そのため、マガジンの着脱部には扉部材が設置されている。そして、景品の不正な抜き取りを防止するために扉部材には、鍵の操作で施錠および解錠する施錠装置が具備されている。ところで、景品払出装置の扉部材は、一般的に正面からみて左右に開く形態で構成されていて、扉部材の一方に形成された施錠装置に鍵を挿入回動することで扉部材の端部から突出する係合部材を、扉部材の他方に設けられる受け具に係合することで施錠する構造となっている。
【特許文献１】特開２００５−２２４２５９号公報（段落００８１〜００８２、図２）
【発明の開示】
【発明が解決しようとする課題】
【０００４】
しかしながら、特許文献１で開示されている技術では、鍵操作が不充分で中途半端な施錠状態となっていても外観からは判別できないという問題がある。
【０００５】
そこで、本発明は、扉部材の施錠の状態を判別することが可能な景品払出装置を提供することを課題とする。
【課題を解決するための手段】
【０００６】
前記課題を解決するため、請求項１に係る発明は、景品を納めたマガジンが装填され、遊技者と店員とを挟んで設置される景品払出装置であって、前記マガジンの出し入れが行われる筐体には、前記マガジンを出し入れ可能な状態に開閉する扉部材と、前記扉部材と前記筺体とを施錠する施錠装置を有し、前記施錠装置は、前記扉部材と前記筺体との施錠の状態を検出することが可能な検出手段を備えることを特徴とする景品払出装置とした。
【０００７】
請求項1の構成によれば、扉部材の施錠の状態を検出できる。
【０００８】
さらに、請求項２に係る発明は、前記施錠装置は、前記扉部材に、前記扉部材の端部から前記扉部材の外側に向かって突出可能に取り付けられる係合部材と、前記筺体にあって、前記扉部材の端部から突出した前記係合部材が係合する受け具と、からなり、前記受け具は、前記係合部材が係合したことを検出する前記検出手段を具備し、前記検出手段は、前記扉部材の端部から突出した前記係合部材が前記受け具と係合したことを通知する通知手段を有することを特徴とする請求項１に記載の景品払出装置とした。
【０００９】
請求項２の構成によれば、係合部材が受け具と係合すると、検出手段がこれを検出し、係合したことを通知できる。
【発明の効果】
【００１０】
本発明によって、扉部材の施錠の状態を判別することが可能で、確実な施錠を可能にする景品払出装置を提供することができる。
【発明を実施するための最良の形態】
【００１１】
図１は景品払出装置の外観側面図、図２は景品払出措置の外観正面図、図３はの景品払出装置の内部構造を示す分解斜視図、図４は駆動ユニットが下部筐体に取付けられた状態の側面図、図５は駆動ユニットの平面図、図６は駆動ユニットを店員側から見たときの正面図、図７は景品払出装置の外観斜視図を、（ａ）は店員側から見たとき、（ｂ）は遊技者側から見たとき、図８は図６のＡ−Ａ線矢視図、図９は図６のＢ−Ｂ線矢視図、図１０は駆動ユニットに装填されるマガジンを示し、（ａ）は側面図、（ｂ）は正面図、（ｃ）は背面図、（ｄ）は（ａ）のＣ−Ｃ断面図、図１１は景品払出装置を示す制御ブロック図、図１２は景品取出口の拡大斜視図、図１３はマガジンをマガジン収容空間に収容するときの動作説明図であり、（ａ）はマガジンの挿入初期の状態、（ｂ）はマガジンの挿入途中の状態、（ｃ）はマガジンの挿入完了状態、図１４は施錠センサの図であり、（ａ）は、図３のＸ−Ｘ線矢視図、（ｂ）は、フォトマイクロセンサの概略の外形図、（ｃ）は、ユニット着脱用扉を閉じたときの装置本体を内部側からみた概略図、図１５は施錠機構を示す図であり、（ａ）は、解錠状態を示す図、（ｂ）は、施錠状態を示す図、（ｃ）は係合部材が施錠センサの検出部に挿入されていないことを示す図、（ｄ）は係合部材が施錠センサの検出部に挿入されたことを示す図である。
【００１２】
本実施形態の景品払出装置１は、パチンコ店などの遊技場で貴金属などの高価な景品が収容されたカード状の特殊景品（以下、景品と略記する）を払い出す装置であり、図１に示すように、筐体２、駆動ユニット３、マガジンＭなどで構成されている。また、本実施形態における景品払出装置１は、卓上タイプであり、遊技場のカウンタＴ上に設置されて利用されるものである。
【００１３】
また、本実施形態の景品払出装置１は、図３に示すように、払い出された景品を取り出すための後記する景品取出口２７（景品取出し用扉２４の後方）が店員側に向けられる店員側払出タイプと、図４に示すように、景品取出口２７が遊技者（お客）側に向けられる遊技者側払出タイプと、の２つのタイプがあるが、以下は、店員側払出タイプに基づいて説明する。そして、店員側を前方とし、遊技者側を後方とする。
【００１４】
前記筐体２は、横長で（図２参照）、側面視したときの形状が、下部の奥行きが長く、上部に向かうにつれて奥行きが徐々に短くなる山型状に形成されている（図１参照）。また、筐体２は、図１に示すように、奥行き（幅）方向を中心にほぼ対称形状となるように形成されている。そして、筐体２の底面には、装置をカウンタＴ上にガタツキなく設置するための、高さ調節可能な４本の脚部２１ｓが設けられている。
【００１５】
図３に示すように、前記筐体２は、上部筐体２Ａと下部筐体２Ｂとが互いに分離可能に構成されており、上部筐体２Ａに対して下部筐体２Ｂが、前後方向に反転取付可能に構成されている。
【００１６】
図１に示すように、前記上部筐体２Ａは、ユニット着脱用扉２２，２３を備え、ユニット着脱用扉２２，２３が上下方向に互いに離れる方向に回動しながら解放するように構成されている。また、上側に位置するユニット着脱用扉２２は、上部筐体２Ａの高さ方向中央部から前面および上面全体を含んで大きく開放するようになっており、上面後端を軸として回動可能に支持されている。ユニット着脱用扉２３は、上部筐体２Ａの高さ方向中央部より下側の前面が下端部を軸として開放するようになっている。そして、ユニット着脱用扉２３が請求項に記載の扉部材となる。
【００１７】
また、図３に示すように、上部筺体２Ａの店員側前面の左右には、筺体２を略直角に内側に曲げた形状のパネル２１ａ、２１ｂが設けられていて、ユニット着脱用扉２３は、パネル２１ａ、２１ｂの間に嵌まり込む形で閉じる形態となっている。そして、パネル２１ａ、２１ｂの内側には、請求項に記載の検出手段として、施錠センサＳ４が設置されている。なお、施錠センサＳ４の詳細については後記する。
【００１８】
そして、図３に示すように、ユニット着脱用扉２３の裏面部（ユニット着脱用扉２３を閉じたときに上部筺体２Ａの内部に面する側）には、施錠機構４が設置される。
【００１９】
施錠機構４は、ユニット着脱用扉２３に回動可能に取り付けられ、かつ、ユニット着脱用扉２３の表面部（ユニット着脱用扉２３を閉じたときに上部筺体２Ａの外部に面する側）に設置される施錠具６（図２参照）と一体に動作する回転盤４ａと、回転盤４ａの左右に、ユニット着脱用扉２３の平面と平行に左右動可能に設置される、２つの係合部材４ｂ、４ｂと、回転盤４ａと２つの係合部材４ｂ、４ｂとを連結する２つの連結部材４ｃ、４ｃと、からなる。
【００２０】
なお、施錠具６は、ユニット着脱用扉２３の表面部に鍵が挿入される鍵穴６ａ（図２参照）を有していて、前記鍵穴６ａに図示しない鍵を挿入して９０°回転可能な機能を有するものとする。そして、回転盤４ａは、施錠具の回転に同期して回転するものとする。
【００２１】
また、前記上部筐体２Ａは、遊技者側に背面パネル２２ａを有し、この背面パネル２２ａが、水平方向外側にスライド可能に突出するようになっている。この背面パネル２２ａは、上部筐体２Ａのほぼ背面全体が突出するようになっており、液晶や有機ＥＬ（エレクトロルミネッセンス）などで形成された薄型で大型の表示装置２８が設けられている（図７（ｂ）参照）。この表示装置２８は、遊技者用に設けられたものであり、例えば払い出された景品の種類や枚数が表示されるようになっている。
【００２２】
前記下部筐体２Ｂには、店員側に、景品の払い出しが完了したときに開き、景品を取り出せるようにした景品取出し用扉２４が設けられている。この景品取出し用扉２４は、開放したときに、その先端の一部が下部筐体２Ｂの外部に突出するように回動可能に支持されている。
【００２３】
これらのユニット着脱用扉２２，２３、景品取出し用扉２４および背面パネル２２ａは、すべてが完全に閉じられた場合には、側面視したときに筐体２から外側に突出しないようになっている。
【００２４】
また、前記上部筐体２Ａに設けられたユニット着脱用扉２２には、図２および図７（ａ）に示すように、店員用として使用される薄型で小型の表示装置２６が設けられている。この表示装置２６についても、前記表示装置２８と同様に、液晶や有機ＥＬなどの薄型の表示手段により構成されている。この表示装置２６には、例えば、景品の残量や、景品詰まりが発生したときの警告が表示されるようになっている。
【００２５】
図３に示すように、前記下部筐体２Ｂは、基本構成が同一（後記する景品タイプを区分するための部分を除いて同一構成）の駆動ユニット３を複数台（本実施形態では４台であるが、この台数に限定されない）収容可能なユニット収容部２５を備えている。このユニット収容部２５は、上部が開放した凹状の空間によって構成されている（図１参照）。
【００２６】
また、前記下部筐体２Ｂには、前記景品取出し用扉２４の裏側に、払い出された景品を取り出すための複数の景品取出口２７（本実施形態では８箇所）が設けられている。この景品取出口２７は、一の駆動ユニット３に対して２箇所設けられ、計８箇所に設けられている。この景品取出口２７には、払い出された景品が前に払い出された景品に積み重なるようにして排出されるようになっている。
【００２７】
前記駆動ユニット３は、マガジン収容機構Ｈ１と、払出機構Ｈ２と、が１ユニット化して構成され、このマガジン収容機構Ｈ１が払出機構Ｈ２に対して前後方向に反転取付可能に構成されている。
【００２８】
前記マガジン収容機構Ｈ１は、マガジンＭを収容する２つのマガジン収容空間Ｓａ，Ｓｂを備えている。このマガジン収容空間Ｓａ，Ｓｂは、それぞれ金属板で形成された、左右方向（駆動ユニット３の並び方向）に並んで位置する側板３１ａ，３１ｂ，３１ｃと、前後方向（奥行き方向）に位置する側板３１ｄ，３１ｅ，３１ｆ，３１ｇと、で構成されている。側板３１ａ，３１ｂ，３１ｄ，３１ｅによって方形状に囲まれた内側の空間が、マガジン収容空間Ｓａとして構成され、側板３１ｂ，３１ｃ，３１ｆ，３１ｇによって方形状に囲まれた内側の空間が、マガジン収容空間Ｓｂとして構成されている。なお、本実施形態では、側板３１ｂが、マガジン収容空間Ｓａとマガジン収容空間Ｓｂの共通の部材として構成されている。
【００２９】
図４に示すように、前記側板３１ａは、側面視で横長矩形状の外形における前側に位置する上部角部が、略四角状に切り欠かれた切欠部３１ａ１となって形成されている。また、前記側板３１ｂ，３１ｃについても、同様にして、前側に位置する上部角部が、略四角形状に切り欠かれた切欠部３１ｂ１，３１ｃ１となって形成されている。また、図３に示すように、側板３１ｄは、側板３１ａ，３１ｂの前方上縁部と同じ高さに形成され、側板３１ｅは、側板３１ａ，３１ｂの後方上縁部と同じ高さに形成されている。また、側板３１ｆは、側板３１ｂ，３１ｃの前方上縁部と同じ高さに形成され、側板３１ｇは、側板３１ｂ，３１ｃの後方上縁部と同じ高さに形成されている。これにより、マガジン収容空間Ｓａ，Ｓｂを有するマガジン収容機構Ｈ１には、前方が後方よりも一段低く形成された本実施形態の開放部Ｐａ，Ｐｂが形成されるようになっている。
【００３０】
図６に示すように、前記側板３１ｄ，３１ｆには、景品Ｑ（図３参照）が排出される凹状に切り欠かれた開口部３１ｄ１，３１ｆ１が形成されている。なお、側板３１ａ，３１ｂ，３１ｃには、それぞれ適宜大きさの孔ｎが複数個（本実施形態では各４個）形成されており、マガジン収容機構Ｈ１の軽量化が図られている（図３および図４参照）。また、マガジン収容空間Ｓａ，Ｓｂには、マガジンＭを収容する際の工程の容易化を図る各種部材、駆動ユニット３の着脱を容易化する部材が設けられているが、これについては後記する。
【００３１】
次に、マガジン収容機構Ｈ１の各種部材について説明する。
図８に示すように、マガジン収容機構Ｈ１は、揺動ガイド部３４、案内ガイド部３５、位置決めガイド部３６、ガイド部３７を備えている。なお、図８は、マガジン収容空間Ｓａ側を示し、また、マガジン収容空間Ｓａを構成する内壁には、紙面手前側の対向する内壁にも、揺動ガイド部３４、案内ガイド部３５、位置決めガイド部３６（図示せず）が設けられている。つまり、マガジン収容空間Ｓａには、一対の揺動ガイド部３４、一対の案内ガイド部３５、一対の位置決めガイド部３６、一対のガイド部３７を備えている。また、マガジン収容空間Ｓｂを構成する内壁にも同様にして、一対の揺動ガイド部３４、一対の案内ガイド部３５、一対の位置決めガイド部３６を備えている。したがって、図示している各ガイド部３４，３５，３６，３７以外については、同一の符号を付してその説明を省略する。
【００３２】
図８に示すように、前記揺動ガイド部３４は、マガジンＭの揺動を許容しながら支持する円盤状の部材で形成され、側板３１ｂの上部、かつ、マガジン収容空間Ｓａの前後方向の中央部に固定されている。
【００３３】
図８に示すように、前記案内ガイド部３５は、開放部Ｐａと対向する側（マガジンＭの挿入方向の奥側）の側板３１ｅに固定され、所定の幅で上下方向に延びて形成されている。この案内ガイド部３５は、上側に位置する範囲Ｒ１内ではその表面と中心線Ｏとの距離が寸法Ｌ１で形成された平坦面３５ｂを有し、下側に位置する範囲Ｒ２内ではその表面と中心線Ｏとの距離が前記寸法Ｌ１よりも短い寸法Ｌ２で形成された平坦面３５ｃを有し、さらに、その範囲Ｒ１と範囲Ｒ２との間の範囲Ｒ３では、平坦面３５ｂと平坦面３５ｃとの間で滑らかに連続的な面となるような傾斜面３５ａを有している。
【００３４】
前記位置決めガイド部３６は、揺動ガイド部３４の直径と同じ幅で形成された略長方形状の部材で形成され、側板３１ｂの下部、かつ、マガジン収容空間Ｓａの前後方向の中央部に固定されている。すなわち、位置決めガイド部３６は、前記揺動ガイド部３４に対して、マガジンＭを駆動ユニット３に完全に装填したときに、図８において２点鎖線で示すように、マガジンＭが垂直に起立した状態で収容される位置に形成されている。
【００３５】
さらに、前記マガジン収容空間Ｓａには、前記案内ガイド部３５と対向する側板３１ｄに、所定の幅で上下方向に延びるガイド部３７が設けられている。また、ガイド部３７は、底部から所定高さ位置までの範囲Ｒ３内では、その表面と中心線Ｏとの距離が短く（前記寸法Ｌ２と同様）形成された平坦面３７ｃを有し、所定高さよりも上側では、その表面と中心線Ｏとの距離が徐々に長くなる傾斜面３７ａを有している。
【００３６】
なお、前記した揺動ガイド部３４、案内ガイド部３５、位置決めガイド部３６、ガイド部３７の材質としては、マガジンＭを円滑に動作させることができ、かつ、耐摩耗性などに優れるものであれば、特に限定されるものではないが、例えば、ガラス繊維入りのポリアセタール（略称：ＰＯＭ）を挙げることができる。
【００３７】
以上のように、マガジン収容空間Ｓａでは、側板３１ａ，３１ｂと、案内ガイド部３５の平坦面３５ｃ，３５ｃと、ガイド部３７の平坦面３７ｃ，３７ｃとで、マガジンＭの揺動を防止するための本実施形態の側壁が構成されている。一方、マガジン収容空間Ｓｂでは、側板３１ｂ，３１ｃと、案内ガイド部３５の平坦面３５ｃ，３５ｃと、ガイド部３７の平坦面３７ｃ，３７ｃとで、マガジンＭの揺動を防止するための本実施形態の側壁が構成されている。
【００３８】
図９に示すように、前記払出機構Ｈ２は、払い出し時に景品Ｑ（図３参照）に搬送力を与えるものであり、収容ケースＫ、駆動モータ３２Ａ，３２Ｂと、駆動力伝達機構３３Ａ，３３Ｂと、を含んで構成されている。
【００３９】
前記収容ケースＫは、上部が開放する形状で、薄板状の金属板を曲げ、孔あけ、溶着加工等により形成され、前記駆動モータ３２Ａ，３２Ｂと駆動力伝達機構３３Ａ，３３Ｂにより景品を払い出すための搬送手段が収容されている。
【００４０】
前記駆動モータ３２Ａは、回転力を得ることができる電動式のものであり、収容ケースＫ内の後寄りに横置きに設けられている。また、駆動モータ３２Ｂは、駆動モータ３２Ａと同様なものであり、収容ケースＫ内の前寄りに横置きに設けられている。また、駆動モータ３２Ａと駆動モータ３２Ｂは、同じ高さ位置で前後方向に位置するように（図８参照）、かつ、収容ケースＫから突出しないように配置されている。なお、駆動モータ３２Ａ，３２Ｂは、必要に応じて正逆両方向に回転可能なモータであってもよい。
【００４１】
また、前記駆動モータ３２Ａ，３２Ｂは、駆動軸ｍ１，ｍ２を有し、駆動モータ３２Ａの駆動軸ｍ１と、駆動モータ３２Ｂの駆動軸ｍ２とが、互いに逆向き（１８０度反転した向き）となるように配置されている。
【００４２】
前記駆動力伝達機構３３Ａは、プーリーＰ１，Ｐ２，Ｐ３，Ｐ４、駆動力伝達ベルトＢ１、景品搬送ベルトＢ２で構成されている。また、駆動力伝達機構３３Ｂについても、同様に、プーリーＰ５，Ｐ６，Ｐ７，Ｐ８、駆動力伝達ベルトＢ３、景品搬送ベルトＢ４で構成されている。
【００４３】
前記プーリーＰ１は、駆動モータ３２Ａの駆動軸ｍ１に固定され、駆動軸ｍ１の回転とともに一緒に回転するようになっている。前記プーリーＰ２は、収容ケースＫの前端に、駆動モータ３２Ｂの斜め前方上方に位置するように回転自在に支持されている（図４参照）。前記プーリーＰ３は、プーリーＰ２と同軸で一体に回転するように収容ケースＫに支持されている。前記プーリーＰ４は、プーリーＰ３とほぼ同径で、プーリーＰ３の後方に位置するように、収容ケースＫに回転自在に支持されている。
【００４４】
前記駆動力伝達ベルトＢ１は、ゴムや合成樹脂などで形成された無端状のベルトであり、プーリーＰ１，Ｐ２に架け渡されている。
【００４５】
前記景品搬送ベルトＢ２は、ゴムや合成樹脂などで形成された無端状のベルトであり、前記駆動力伝達ベルトＢ１よりも幅広で、かつ、景品Ｑの幅よりも狭く形成され、プーリーＰ３，Ｐ４に掛け渡されている。この景品搬送ベルトＢ２は、その上側に位置する部分がマガジン収容空間Ｓａの底部に露出しており、その表面には、景品Ｑを引っ掛けて搬送するための凸条の景品引っ掛け突起４１が等間隔で３箇所に形成されている（図６、図８参照）。
【００４６】
なお、前記プーリーＰ５，Ｐ６，Ｐ７，Ｐ８、駆動力伝達ベルトＢ３および景品搬送ベルトＢ４は、前記した駆動力伝達機構３３Ａと同様に形成されているのでその説明を省略する。ただし、駆動力伝達機構３３Ａと駆動力伝達機構３３Ｂとでは、駆動モータ３２Ａ，３２Ｂの位置が異なるので、駆動力伝達機構３３Ａでは、プーリーＰ１とプーリーＰ２との距離が長くなるため、駆動力伝達ベルトＢ１の長さが長くなり、駆動力伝達機構３３Ｂでは、プーリーＰ５とプーリーＰ６との距離が前記と比べて短くなるため、駆動力伝達ベルトＢ３の長さが短くなっている。
【００４７】
次に、駆動ユニット３の各マガジン収容空間Ｓａ，Ｓｂに装填されるマガジンＭについて、図１０を参照しながら説明する。
図１０（ａ）〜（ｃ）に示すように、前記マガジンＭは、四角薄板状に形成された景品Ｑを厚み方向に複数枚積層した状態で収納することができる内部空間を有し、四角筒状の筐体５０により形成されている。また、図１０（ａ）に示すように、マガジンＭの長手方向の側面には、内側に凹むように形成された凹状の案内溝５１が上端面から下端面にかけて幅寸法Ｗで形成されている。この幅寸法Ｗは、前記した揺動ガイド部３４および位置決めガイド部３６が摺動しながら案内される寸法に設定されている。なお、マガジンＭの反対側の側面にも、揺動ガイド部３４および位置決めガイド部３６と摺動可能な案内溝５１が形成されている（図１０（ｄ）参照）。
【００４８】
図１０（ｂ）に示すように、前記マガジンＭの正面には、縦長形状で幅広の窓５２が形成され、この窓５２から、収容された景品Ｑを視認できるようになっている。また、マガジンＭの下端部には、マガジンＭの外寸幅と幅がほぼ同じに形成された略四角形状のプレート５３が固定されている。このプレート５３には、その下端に、上下方向に動作可能な門型のシャッタ５４が設けられ、このシャッタ５４が図示しない付勢手段によって常に下方に付勢されるようになっている。一方、マガジンＭが装填されるマガジン収容空間Ｓａ，Ｓｂ内の底部の前端部には、図５に示すように、水平かつ後方に突出するシャッタ開閉板３１Ｓ（斜線部分）が設けられ、このシャッタ開閉板３１Ｓの先端縁部に凸状部３１ｈが形成され、この凸状部３１ｈにシャッタ５４の内壁天井部が当接することで、シャッタ５４が押し上げられて開放するようになっている。
【００４９】
また、図１０（ｂ）に示すように、前記シャッタ５４の内側には、マガジンＭを識別するためのマガジン識別部５５が設けられている。このマガジン識別部５５は、前方（紙面手前側）に突出する一対の識別片５５ａ，５５ａが間隔を開けて形成されている。一方、マガジン収容空間Ｓａ，Ｓｂ内の前記シャッタ開閉板３１Ｓに形成された凸状部３１ｈには、図５に示すように、識別片５５ａ，５５ａと同じ間隔で形成された一対のスリット３１ｉ，３１ｉが形成されている。このスリット３１ｉ，３１ｉ内を、識別片５５ａ，５５ａが通り抜けできることで、マガジンＭがマガジン収容空間Ｓａ，Ｓｂ内に完全に装填できるようになっている。したがって、マガジンＭに納められる景品Ｑの種類毎に、識別片５５ａ，５５ａの間隔と、スリット３１ｉ，３１ｉの間隔とをそれぞれ変えることで、マガジンＭの装填位置の間違いを防止できるようになっている。このことにより、景品Ｑが複数種類ある場合、常に同じ種類の景品Ｑを同じ景品取出口２７から払い出すことができるようになる。
【００５０】
また、図５に示すように、マガジン収容空間Ｓａ，Ｓｂ内の底部の前記シャッタ開閉板３１Ｓと対向する後端には、マガジンＭの前後方向の逆挿しを防止するための、水平かつ前方に突出する逆挿し防止板３１Ｔ（斜線部分）が設けられている。この逆挿し防止板３１Ｔは、一対の突板部３１ｊ，３１ｊを有している。つまり、装填位置は正しいが、マガジンＭの前後を逆に挿した場合には、前記識別片５５ａ，５５ａが突板部３１ｊ，３１ｊに当接することで逆挿しを防止できるようになっている。
【００５１】
また、前記逆挿し防止板３１Ｔには、突板部３１ｊと突板部３１ｊとの間に、凹状の切欠部３１ｋが形成され、この切欠部３１ｋ内を後記する景品錘６０のつまみ６１が通り抜けできるようになっている。
【００５２】
また、前記したシャッタ開閉板３１Ｓと逆挿し防止板３１Ｔは、ねじ留めによって着脱自在に構成されており、店員側払出タイプと遊技者側払出タイプとを変更する際に、付け替えることができるようになっている（図５参照）。
【００５３】
なお、図示していないが、マガジンＭの下端正面には、シャッタ５４が上がったときに、景品１枚分の景品Ｑが通り抜けることができるスリット状の搬送路が形成されるようになっている。駆動ユニット３からマガジンＭを抜き取った場合には、シャッタ５４が降りて、前記スリット状の搬送路が閉じるようになって、例えばマガジンＭを運搬中にマガジンＭからの景品Ｑの脱落が防止される。
【００５４】
さらに、図１０（ｃ）に示すように、マガジンＭの背面には、細縦長形状の窓５６が形成され、この窓５６から、内部に収容された景品Ｑを視認できるようになっている。また、マガジンＭの下端背面には、横細長形状の２本のプレート５７，５８が固定されている。
【００５５】
また、図１０（ａ）〜（ｃ）に示すように、マガジンＭ内には、積層された景品Ｑの最上部に景品錘６０が載せられている。この景品錘６０は、平面視したときの形状が、景品Ｑとほぼ同じプレート状をしている（図１０（ｄ）参照）。また、景品錘６０には、つまみ６１が設けられ、このつまみ６１が前記窓５６から突出するようになっている。この景品錘６０により、マガジンＭの運搬中に景品Ｑが飛び跳ねて、積層状態が乱れるのを防止したり、装着後は、景品引っ掛け突起４１による景品Ｑの払出しが確実になる。
【００５６】
なお、前記したプレート５３、シャッタ５４、プレート５７，５８、つまみ６１などは、前記と同様なＰＯＭなどの材質のものを使用して形成することができる。
【００５７】
また、マガジンＭの上面には、線材を折り曲げて形成した取手６２が設けられている。この取手６２は、マガジンＭの上部に回動自在に支持されており、使用時には筐体５０から外側に突出させることで手に掛けて持ち運ぶことができ、非使用時には倒すことで筐体５０から外側に突出しないようになっている。
【００５８】
図８に示すように、本実施形態の駆動ユニット３のマガジン収容空間Ｓａ内には、マガジンＭ内の景品Ｑの有無を検知する景品有無センサＳ１が設けられている。この景品有無センサＳ１は、回動自在に支持された検出片７１を有し、この検出片７１は、搬送ベルトＢ２の脇に位置し（図５参照）、マガジンＭが駆動ユニット３にセットされたときに、景品Ｑの下面が接触する位置に設けられている。この景品有無センサＳ１では、景品Ｑおよび景品錘６０によって検出片７１が押圧されている場合には、マガジンＭ内に景品Ｑが残っていると判断でき、また、検出片７１が立ち上がった場合には、マガジンＭ内の景品が空になったと判断できる。ちなみに、景品錘６０は、景品Ｑが空になってマガジンＭの最下部に位置した場合でも検出片７１を押圧しないように対応位置が切り欠かれており、マガジンＭが空になった場合には、検出片７１が押圧されないことによりマガジンＭが空になったことが検出可能となっている。なお、ここではケース３１Ａ側の景品有無センサＳ１のみについて説明したが、ケース３１Ｂ側についても、同様にして景品有無センサＳ１が設けられている。
【００５９】
図６に示すように、駆動ユニット３には、景品Ｑが指示された枚数だけ排出されたか否かを検知する景品カウントセンサＳ２，Ｓ２が設けられている。この景品カウントセンサＳ２は、側板３１ｄ，３１ｆの外面に固定され、後方（紙面奥側）に付勢されるとともに前方（紙面手前側）に押されながら回動する検出片７２を有し、この検出片７２が下向きで開口部３１ｄ１内に突出するように構成されている。この景品カウントセンサＳ２では、払い出し指令に基づいて、景品Ｑが開口部３１ｄ１，３１ｆ１から排出されるときに、景品Ｑによって検出片７２が前方に押圧され、景品Ｑが完全に払い出されることによって検出片７２が弾性復帰することによって、１枚の景品Ｑが駆動ユニット３から排出されたと判断される。
【００６０】
図８に示すように、前記払出機構Ｈ２は、駆動ユニット３を制御するためのユニット制御部１００を備えている。このユニット制御部１００は、ＣＰＵ、記憶装置、各種回路、入出力インターフェース回路などを備えて構成され、縦長箱形のケース１０１に収容され、このケース１０１が収容ケースＫの背面に固定されるように構成されている。
【００６１】
前記ケース１０１には、ユニット固定部８０が設けられている。このユニット固定部８０は、金属製などの板材を折り曲げて形成したものであり、図５に示すように、左右方向（駆動ユニット３の幅方向）に細長く形成された板部８０ａを有し、板部８０ａの長手方向に延びる一縁部が垂直に折り曲げられた長片部８０ｂと、長手方向両端の縁部が前記長片部８０ｂとは逆向きに垂直に折り曲げられた短片部８０ｃ，８０ｃと、が形成されている。また、長片部８０ｂには、左右方向の中央部にねじ挿通穴８０ｂ１が穿設されている。また、ユニット固定部８０は、板部８０ａがケース１０１の上面１０１ａに、長片部８０ｂが上方、短片部８０ｃ，８０ｃが下方をそれぞれ向くように、蝶番８１，８１を介して回動自在に連結されている。
【００６２】
また、図８に示すように、払出機構Ｈ２の正面（図示左側）の下部には、オスコネクタ９０が設けられており、このオスコネクタ９０が下部筐体２Ｂの内側に設けられたメスコネクタ２１０と接続されるようになっている。このオスコネクタ９０は、ユニット制御部１００と電気的に接続されている。
【００６３】
また、図１１に示すように、各駆動ユニット３に設けられたユニット制御部１００は、筐体２側に設けられたメイン制御部２００とそれぞれ接続されている。メイン制御部２００には、ＣＰＵ、記憶装置、各種回路、入出力インターフェースなどで構成され、作動させる必要のある駆動ユニット３に対して、所定の信号（払い出す景品Ｑの枚数など）を送信するようになっている。
【００６４】
また、前記ユニット制御部１００は、駆動モータ３２Ａ，３２Ｂ、景品有無センサＳ１、景品カウントセンサＳ２および景品抜き取りセンサＳ３と電気的に接続され、駆動モータ３２Ａ，３２Ｂの回転および停止を制御する。また、ユニット制御部１００は、景品有無センサＳ１からの信号に基づいてマガジンＭ内の景品Ｑが空になったことを検知した場合には、景品が空である旨の信号をメイン制御部２００に送信する。この信号を受けたメイン制御部２００は、店員側の表示装置２６に、このマガジンＭの景品Ｑが空になった旨を警告表示する。また、ユニット制御部１００は、メイン制御部２００からの景品払い出し枚数を示す信号に基づいて、景品カウントセンサＳ２からの信号に基づいてカウント枚数を確認しながら、景品Ｑの払い出しを行う。なお、景品Ｑの詰まりなどで、景品カウントセンサＳ２からの検出出力が得られなくなった場合には、表示装置２６に警告表示を行う。
【００６５】
なお、前記景品抜き取りセンサＳ３は、払い出した景品Ｑが店員などにより景品取出口２７から全部抜き取られたか否かを判断するセンサであり、図１２に示すように、景品取出口２７の底面に進退自在に支持され、突出する方向に付勢された検出片７３を備えている。この検出片７３は、景品Ｑが景品取出口２７に払い出されると景品Ｑの重みによって押圧され、景品Ｑが全部抜き取られることにより底面から突出した状態に復帰する。このように検出片７３が押され、そして復帰することにより、その位置の景品取出口２７からの景品Ｑの抜き取りが完了したことが検知される。
【００６６】
また、メイン制御部２００は、外部のＰＯＳ（Ｐｏｉｎｔ  Ｏｆ  Ｓａｌｅｓ）装置３００と通信可能に接続されるとともに、表示装置２６、表示装置２８、景品抜き取りセンサＳ３と接続されている。このメイン制御部２００は、各駆動ユニット３などを統括的に制御するものであり、ＰＯＳ装置３００からの景品払出指令に基づいて払い出しを要する景品に対応した（景品Ｑの払出しが必要な）駆動ユニット３に、払出しの要求信号を送るようになっている。また、各駆動ユニット３の現在の状態を監視して、表示装置２６などにその状態（景品Ｑの残量など）を表示する。
【００６７】
さらに、メイン制御部２００は、施錠センサＳ４とも接続されている。施錠センサＳ４は、パネル２１ａ、２１ｂの内部側の面に設置されていて、ユニット着脱用扉２３の係合部材４ｂがパネル２１ａ、２１ｂの内部側の面に係合したか否かを判断するセンサである。
【００６８】
図１４に、パネル２１ｂの内部側の面に設置される施錠センサＳ４を示す。図１４の（ａ）は、図３のＸ−Ｘ線矢視図であり、パネル２１ｂの内側に設置されている施錠センサＳ４を示す図である。
【００６９】
なお、施錠センサＳ４として、本実施形態においては、オムロン株式会社製のフォトマイクロセンサ（ＥＥ−ＳＰＸ４０３）を使用した。図１４の（ｂ）に、本実施形態で使用したフォトマイクロセンサの概略の外形図を示す。前記のフォトマイクロセンサはコの字型の検出部５ａを有するセンサで、コの字の一方には発光ダイオードが備わり、他方には、発光ダイオードの光を受光する受光素子が備わる。そして、受光素子が受光する発光ダイオードからの光が遮断されたことを検出するセンサである。すなわち、コの字型の検出部５ａに検出対象物が挿入すると、受光素子が受光する発光ダイオードからの光が遮断されるためセンサが反応して、信号出力部５ｂから検出信号を出力して、メイン制御部２００（図１１参照）に入力する。
【００７０】
そして、メイン制御部２００（図１１参照）は、施錠センサＳ４からの入力信号によって、ユニット着脱用扉２３の施錠の状態を、例えば店員側の表示装置２６（図７参照）に表示すればよい。
【００７１】
また、本実施形態の景品払出装置１において、ユニット着脱用扉２３は施錠機構４を有する。図１５は施錠機構を示す図である。図１５の（ａ）に示すように、施錠機構４は、回転盤４ａ、２つの係合部材４ｂ、４ｂ、２つの連結部材４ｃ、４ｃ、および複数の押さえ具４ｄ、４ｄ、・・・から構成され、回転盤４ａの中心と、２つの係合部材４ｂ、４ｂの中心は一直線上に配置される。係合部材４ｂ、４ｂ、は複数の押さえ具４ｄ、４ｄ、・・・によって、ユニット着脱用扉２３の平面に平行に、かつ、左右動可能に取り付けられていて、回転盤４ａの側には連結部材４ｃが回動自在に取り付けられる。なお、押さえ具４ｄは、ユニット着脱用扉２３にネジ止めなどによって固定すればよい。
【００７２】
連結部材４ｃの係合部材４ｂに取り付けられていない端は、回転盤４ａに回動自在に取り付けられている。なお、回転盤４ａにおける２つの連結部材４ｃ、４ｃの取り付け位置は、回転盤４ａの回転中心を通る直線上であって、２つの連結部材４ｃ、４ｃの取り付け位置を結ぶ直線が、回転盤４ａが施錠具の回転に伴って９０°回転するときに、係合部材４ｂの中心線に垂直な位置（図１５の（ａ）参照。以下、解錠状態と称する）と、平行な位置（図１５の（ｂ）参照。以下、施錠状態と称する）と、の間で移行するような構造が好ましい。
【００７３】
そして、係合部材４ｂの長さは、施錠状態のときには、係合部材４ｂの端部がユニット着脱用扉２３の左右の端部からユニット着脱用扉２３の外側に向けて突出し、かつ、解錠状態のときには、係合部材４ｂの端部がユニット着脱用扉２３の左右の端部の内側になるように設定する。
【００７４】
前記の構造によって、回転盤４ａが９０°回転すると、係合部材４ｂはユニット着脱用扉２３の平面に平行に左右動する。
【００７５】
そして、図１５に示す構造の施錠機構４を有するユニット着脱用扉２３を閉じて、ユニット着脱用扉２３の表面側に設置される施錠具６（図２参照）に図示しない鍵を挿入回転して、解錠状態から施錠状態に移行すると、２つの係合部材４ｂ、４ｂはそれぞれユニット着脱用扉２３の端部から外側に向けて左右動する。そして、係合部材４ｂの端がユニット着脱用扉２３の左右端から突出してパネル２１ａ、２１ｂの内部側の面に係合することで、ユニット着脱用扉２３は施錠される。なお、本実施形態においては、係合部材４ｂが、パネル２１ａ、２１ｂの内部側の面に直接係合することから、パネル２１ａ、２１ｂが請求項に記載の受け具となる。
【００７６】
図１４の（ｃ）は、ユニット着脱用扉を閉じたときの筺体を内部側からみた概略図である。図１４の（ｃ）に示すように、施錠センサＳ４はパネル２１ｂの内部側の面にあって、コの字型の検出部５ａが、ユニット着脱用扉２３の施錠機構４の係合部材４ｂと同じ高さで、かつ、検出部５ａが係合部材４ｂと平行になるように、コの字の開口部をパネル２１ｂ側に向けて設置されている。
【００７７】
すなわち、ユニット着脱用扉２３を閉じて、施錠機構４を施錠状態にしたとき、ユニット着脱用扉２３の端部（パネル２１ｂ側にあっては、左側の端部）から突出する係合部材４ｂが、施錠センサＳ４の検出部５ａに挿入するように設置されている。そして、係合部材４ｂが施錠センサＳ４の検出部５ａに挿入するすると、施錠センサＳ４は、請求項に記載の通知手段としての検出信号をメイン制御部２００（図１１参照）に入力する。
【００７８】
図１５の（ｃ）および（ｄ）は、ユニット着脱用扉を閉じたときの筺体を内部側からみた概略図である。前記の構成によって、施錠機構４が解錠状態にあるときには、図１５の（ｃ）に示すように、係合部材４ｂは施錠センサＳ４の検出部５ａに挿入されないため、施錠センサＳ４は検出信号をメイン制御部２００に入力しない。また、施錠機構４が施錠状態にあるときには、図１５の（ｄ）に示すように、係合部材４ｂは施錠センサＳ４の検出部５ａに挿入されるため、施錠センサＳ４は検出信号をメイン制御部２００に入力する。したがって、メイン制御部２００は、施錠センサＳ４からの検出信号の入力の有無によって、施錠機構４が解錠状態にあるか、施錠状態にあるか、を判定することができる。
【００７９】
なお、図３に示すように、パネル２１ａの内部側の面にも同様に施錠センサＳ４が設置されていて、ユニット着脱用扉２３を閉じて施錠状態にしたとき、ユニット着脱用扉２３の右側の端部から突出する係合部材４ｂを検出して、パネル２１ｂの施錠センサＳ４と同様の動作をする。
【００８０】
次に、本実施形態の景品払出装置１の駆動ユニット３を下部筐体２Ｂへの取り付け手順について図４を参照しながら説明する。図４は、駆動ユニット３が下部筐体２Ｂのユニット収容部２５に位置決めされた状態を図示している。駆動ユニット３を取り付ける場合には、ユニット固定部８０を反時計回り方向に回動させて、ユニット固定部８０を折り畳んだ状態にしておく（図８の２点鎖線参照）。そして、図１のユニット着脱用扉２２，２３を上下に大きく開放した状態にし、駆動ユニット３をユニット収容部２５の底まで挿入する。なお、このとき、背面パネル２２ａ（図１参照）を外側にスライドさせておくことにより、駆動ユニット３の挿入（または取り外し）作業が容易になる。これにより、駆動ユニット３を下部筐体２Ｂの底部まで完全に挿入すると、駆動ユニット３側のオスコネクタ９０と、下部筐体２Ｂ側のメスコネクタ２１０とが同じ高さ位置で対向した状態になる。そして、駆動ユニット３を前方（図４の左側）へスライドさせることによって、オスコネクタ９０とメスコネクタ２１０とが接続される。このようにスライドさせることによって駆動ユニット３のケース１０１の背面１０１ｂとユニット収容部２５の壁面２ｂとの間に隙間が形成されるので、この隙間が形成された状態において、ユニット固定部８０を時計回り方向に回動させることで、ユニット固定部８０の長片部８０ｂが、ユニット収容部２５の壁面２ｂに面同士で当接した状態になる。これにより、駆動ユニット３がユニット収容部２５に位置決めされ、下部筐体２Ｂのユニット収容部２５内において駆動ユニット３が前後左右に移動しないように規制される。またこのとき、長片部８０ｂに形成されたねじ挿通穴８０ｂ１の位置と、壁面２ｂに形成されたねじ穴２ｂ１の位置とが互いに一致するので、この状態で、つまみ付きねじ８２を、ねじ挿通穴８０ｂ１側から挿入してねじ穴２ｂ１にねじ止めすることで、駆動ユニット３が、下部筐体２Ｂの所定の位置に確実に固定される。
【００８１】
このように、ユニット固定部８０を折り畳み自在に設けることにより、駆動ユニット３の収容時および抜き取り時の前後方向へのスライドスペースを確保できるようになり、筐体２に対する駆動ユニット３の着脱作業が容易になる。
【００８２】
なお、本実施形態の景品払出装置１では、駆動ユニット３が４台取付けられるようになっているが、残りの駆動ユニット３についても前記と同様にして装着される。
【００８３】
次に、筐体２に取付けられた駆動ユニット３へのマガジンＭの装着手順について図１３を参照しながら説明する。上部筐体２Ａのユニット着脱用扉２２，２３を開放した状態において（図３参照）、遊技場の店員は、景品Ｑが収納されたマガジンＭを手に持って、図１３（ａ）に示すように、マガジンＭを所定の傾斜角度に傾けた状態で、マガジンＭの両側に形成された案内溝５１を揺動ガイド部３４に挿入する。なお、このときの傾斜角度は、特定の角度に限定されるものではないが、マガジンＭ内の景品Ｑが倒れない角度で挿入することが好ましく、例えば２０度より大きい角度で挿入することが好ましい。また、このとき、マガジンＭは、挿入時に景品錘６０のつまみ６１が上側となるような向きで挿入される。
【００８４】
マガジンＭを傾斜させた状態でさらに奥側（後方）に挿入すると、マガジンＭのプレート５７が案内ガイド部３５の平坦面３５ｂに当接して、図１３（ａ）の状態に至る。そして、マガジンＭを後側（挿入方向奥側）に揺動、つまりマガジンＭを起立する方向に移動させると、マガジンＭの自重によって、案内溝５１が揺動ガイド部３４に対して摺動しながら、さらにプレート５７が平坦面３５ｂ、傾斜面３５ａ、平坦面３５ｃを順番に摺動し、図１３（ｂ）の状態に至る。この図１３（ｂ）の状態では、マガジンＭのプレート５３の下側の外面が、ガイド部３７の平坦面３７ｃに対向し、プレート５７の外面が、案内ガイド部３５の平坦面３５ｃに対向することにより、マガジンＭの揺動が規制される。そして、図１３（ｂ）に至ると、マガジンＭの自重によってさらに下降して、マガジンＭの案内溝５１が位置決めガイド部３６に案内され、図１３（ｃ）に示す状態に至り、マガジンＭの装填が完了する。なお、前記したように、図１３（ｃ）の状態では、シャッタ５４が持ち上げられて、景品ＱをベルトＢ２（Ｂ４）によりマガジンＭから搬送させることができるようになり、また景品Ｑと景品錘６０によって景品有無センサＳ１の検出片７１が押圧される。
【００８５】
図１３（ｃ）のようにマガジンＭが装填された状態において、メイン制御部２００からユニット制御部１００に対して、景品Ｑの払出指令が発せられると、ユニット制御部１００は、駆動モータ３２Ａ（３２Ｂ）を駆動する。駆動モータ３２Ａ（３２Ｂ）の駆動力によって、プーリーＰ１，Ｐ２，Ｐ３，Ｐ４（Ｐ５，Ｐ６，Ｐ７，Ｐ８）がそれぞれ回転することで、搬送ベルトＢ２（Ｂ４）が所定の方向Ｗへ駆動する。これにより、搬送ベルトＢ２（Ｂ４）の景品引っ掛け突起４１によって景品Ｑが前方へ押されることで、景品ＱがマガジンＭから排出される。マガジンＭから排出された景品Ｑは、図１５に示すように、下部筐体２Ａに設けられた景品取出口２７に向けて排出される。なお、景品Ｑの払出時には、景品取出し用扉２４は閉じており、すべての景品Ｑの払い出しが完了した時点で開くようにメイン制御部２００によって制御されている。
【００８６】
払い出し時には、図示していないが、景品取出口２７に景品Ｑが積み重なるようにして排出され、景品Ｑによって、景品抜き取りセンサＳ３の検出片７３が押圧される。そして、払い出された景品Ｑを店員が抜き取ったときに検出片７３が復帰（突出）することで、ユニット制御部１００は、景品Ｑが抜き取られたことを認識する。そして、ユニット制御部１００から景品が抜き取られた旨の信号が送信され、メイン制御部２００が、この信号を受信して、景品Ｑが払い出されたすべての景品取出口２７から景品Ｑが抜き取られたことを認識すると、景品取出し用扉２４を閉じるように制御する。
【００８７】
なお、メイン制御部２００は、駆動ユニット３の着脱状態を検知する判定手段を備えており、筐体２から一部の駆動ユニット３が取り外されて、オスコネクタ９０とメスコネクタ２１０との接続が遮断されたことを検知すると、駆動ユニット３が脱状態であると判断して、残りの駆動ユニット３で景品Ｑの払出しを継続する。このように構成することで、業務が中断するのを極力抑えることが可能になる。
【００８８】
また、景品払出装置１が遊技者側払出タイプに変更された場合には、駆動モータ３２Ａ（３２Ｂ）、プーリーＰ１，Ｐ２，Ｐ３，Ｐ４（Ｐ５，Ｐ６，Ｐ７，Ｐ８）の位置が前後方向に反転した位置となるが、駆動モータ３２Ａ（３２Ｂ）が、店員側払出タイプの場合と同じ方向（図１３（ｃ）と同じ方向Ｗ）に回転させられることで、マガジンＭから景品Ｑが払い出される。ただし、遊技者側払出タイプの場合、マガジン収容機構Ｈ１が払出機構Ｈ２に対して反転して取付けられるので、マガジン収容機構Ｈ１に設けられたシャッタ開閉板３１Ｓと逆挿し防止板３１Ｔの位置を前後方向に反転して取り付けることで、駆動ユニット３に装填されたマガジンＭから景品Ｑを払い出せるようになる。
【００８９】
このように、本実施形態では、マガジンＭを傾斜させた状態で挿入することができるので、景品払出装置の真上から位置を確認しながら挿入する必要がなくなり、マガジンＭの装填作業を容易にすることができる。よって、背が低めの店員であっても、マガジンの装填作業を容易に行うことができるようになる。
【００９０】
また、本実施形態では、揺動ガイド部３４が円形状に曲面を有して形成されているので、マガジンＭを連続的に滑らかに揺動させながらマガジンＭの装填作業を行うことができる。なお、揺動ガイド部３４は、マガジンＭを円滑に動作させることができるものであれば円形に限定されるものではなく、楕円形、半円形などであってもよい。あるいは、揺動ガイド部３４は、回転可能に支持されたローラなどであってもよい。また、傾斜面３５ａを備えた案内ガイド部３５が設けられているので、この点においても、マガジンＭの装填作業を円滑に行うことが可能になる。さらに、位置決めガイド部３６が設けられているので、マガジンＭの案内としての機能とともに、位置決めとしての機能を付与することができる。
【００９１】
さらに、本実施形態では、案内ガイド部３５およびガイド部３７に、上側に向けて徐々に広くなる傾斜面３５ａ，３７ａが形成されているので、マガジンＭを真上から挿入する場合であっても、多少マガジンＭが傾斜した状態で挿入されたとしても、マガジンＭを引っ掛かりなく案内しながら装填することが可能になる。なお、マガジンＭの抜き取り時に、図１３（ｂ）の状態を越えると、つまりマガジンＭが図１３（ｃ）から図１３（ｂ）の状態を経てさらに上方に引き上げられると、図１３（ａ）のようにマガジンＭを傾けることができるようになるが、図１３（ｃ）の状態から図１３（ｂ）の状態を少し越えたときに、クリック音を出すようにすると、マガジンＭを抜くときにどのタイミングで傾ければよいかがわかる。
【００９２】
以上、本実施形態に係る景品払出装置１の構造を説明したが、本実施形態の景品払出装置１は、図３に示すような施錠機構４と施錠センサＳ４とからなる施錠装置を有することで、ユニット着脱用扉２３を閉じて施錠機構４を施錠状態にしたときに施錠センサＳ４によって係合部材４ｂがパネル２１ａ、２１ｂに係合したことを検出できる。したがって、係合部材４ｂが施錠センサＳ４に検出されないときには、解錠状態もしくは施錠が不充分であることが判別でき、不正な景品の抜き取りを効果的に防止できる、などの効果を奏する。
【００９３】
また、本実施形態においては、施錠センサＳ４はパネル２１ａ、２１ｂ（図３参照）の内側にそれぞれ設置する構造としたが、どちらか一方のみに１つの施錠センサＳ４を設置する構造でもよいし、フォトマイクロセンサに限らず他の方式の検出手段を用いてもよい。
【００９４】
さらに、図１４に示す施錠機構４の構造に関しては一例を示したに過ぎず、同等の機能を実現可能な異なる構造であってもよい。
【００９５】
なお、本実施形態では、一の駆動ユニット３にマガジンＭを２個装填できる構成にしたが、一の駆動ユニットを、一のマガジン収容空間、一の駆動モータおよび一の駆動力伝達機構で構成してもよい。また、一のマガジンＭに対して一の駆動モータで構成したが、一の駆動モータで複数のマガジンＭの景品に搬送力を与えるようにしてもよい。
【図面の簡単な説明】
【００９６】
【図１】景品払出装置の外観側面図を示す図である。
【図２】景品払出措置の外観正面図を示す図である。
【図３】景品払出装置の内部構造を示す分解斜視図である。
【図４】駆動ユニットが下部筐体に取付けられた状態の側面図を示す図である。
【図５】駆動ユニットの平面図である。
【図６】駆動ユニットを店員側から見たときの正面図である。
【図７】景品払出装置の外観斜視図を示し、（ａ）は店員側から見たときの図、（ｂ）は遊技者側から見たときの図である。
【図８】図６のＡ−Ａ線矢視図である。
【図９】図６のＢ−Ｂ線矢視図である。
【図１０】駆動ユニットに装填されるマガジンを示し、（ａ）は側面図、（ｂ）は正面図、（ｃ）は背面図、（ｄ）は（ａ）のＣ−Ｃ断面図である。
【図１１】景品払出装置を示す制御ブロック図である。
【図１２】景品取出口の拡大斜視図である。
【図１３】マガジンをマガジン収容空間に収容するときの動作説明図であり、（ａ）はマガジンの挿入初期の状態、（ｂ）はマガジンの挿入途中の状態、（ｃ）はマガジンの挿入完了状態である。
【図１４】（ａ）は、図３のＸ−Ｘ線矢視図、（ｂ）は、フォトマイクロセンサの概略の外形図、（ｃ）は、ユニット着脱用扉を閉じたときの装置本体を内部側からみた概略図である。
【図１５】施錠機構を示す図であり、（ａ）は、解錠状態を示す図、（ｂ）は、施錠状態を示す図、（ｃ）は係合部材が施錠センサの検出部に挿入されていないことを示す図、（ｄ）は係合部材が施錠センサの検出部に挿入されたことを示す図である。
【符号の説明】
【００９７】
１      景品払出装置
２      筺体
２Ａ    上部筺体
２１ａ、２１ｂ  パネル
２３    ユニット着脱用扉
４      施錠機構
４ｂ    係合部材
６      施錠具
Ｓ４    施錠センサ
【図１】
2008000351.tif 000003
【図２】
2008000351.tif 000004
【図３】
2008000351.tif 000005
【図４】
2008000351.tif 000006
【図５】
2008000351.tif 000007
【図６】
2008000351.tif 000008
【図７】
2008000351.tif 000009
【図８】
2008000351.tif 000010
【図９】
2008000351.tif 000011
【図１０】
2008000351.tif 000012
【図１１】
2008000351.tif 000013
【図１２】
2008000351.tif 000014
【図１３】
2008000351.tif 000015
【図１４】
2008000351.tif 000016
【図１５】
2008000351.tif 000017